(57)【要約】【課題】  光空間伝送による通信を行う際に、光が霧などの気象条件により大きく減衰することが想定される場合であっても信頼性を確保することができる通信システムを提供する。【解決手段】    送信信号を用いて光伝送用の光信号を生成し、該光信号を、分岐し、分岐された一方の光信号を、空間伝播させ、これと同時に、分岐された他方の光信号を、光電変換するとミリ波帯になるように光学的に再度変調し、該変調された光からミリ波の電波信号を生成し、該電波信号を空間伝播させる送信局１と、空間伝播してきた光信号を受光して得た受信信号と、空間伝播してきた電波信号を受信し復調して得た信号とを使用して、両信号に対し選択または合成を行うダイバーシティ受信を行い、その出力を受信信号とする受信局２とを有する。【選択図】    図１
2005323145.tif 000002
【特許請求の範囲】
【請求項１】
送信局と受信局間で光空間伝送による通信を行う通信システムにおいて、
送信局と受信局間に光空間伝播信号が届きにくい条件が発生する場合において、送信局と受信局間で通信を確保する通信システムの送信局であって、
送信信号により変調された光信号を生成する光伝送用光信号生成手段と、
導かれた前記光信号をコリメートして空間伝播光とする光空間伝送送信用光学系と、
前記光伝送用光信号生成手段と前記光空間伝送送信用光学系の間に配置され、前記光信号を分岐し、一方を、前記光空間伝送送信用光学系への光信号として出力する光分岐器と、
前記光分岐器の他方の出力端に接続され、該分岐器から導かれた光信号を光学的に変調し、変調光を出力するミリ波生成用光信号生成手段と、
ミリ波生成用光信号生成手段からの出射光を受光しミリ波帯の電波信号として出射する光・ミリ波変換回路と、
を有することを特徴とする通信システムの送信局。
【請求項２】
送信局と受信局間で光空間伝送による通信を行う通信システムにおいて、
送信局と受信局間に光空間伝播信号が届きにくい条件が発生する場合において、送信局と受信局間で通信を確保する通信システムの受信局であって、
送信局の光空間伝送送信用光学系から出射され伝播してきた光信号を受信回路への入力光とするためにコリメートする光空間伝送受信用光学系と、
前記光空間伝送送信用光学系によりコリメートされ導かれた光信号を受信し、受光もしくは受光と信号処理を行い光空間伝送による受信信号として出力する光伝送信号受信回路と、
送信局の光・ミリ波変換回路から出射され伝播してきた電波を受信するミリ波受信回路と、
ミリ波受信回路の出力に接続され、ミリ波受信回路の出力から、送信局で行ったミリ波生成用光信号生成手段における信号生成動作前の信号に対応する信号を電気的に生成し出力するミリ波信号復調手段と、
二つの入力部を有し、一方には前記光伝送信号受信回路からの出力信号を入力し、もう一方は前記ミリ彼信号復調手段からの出力信号を入力し、両人力信号に対して選択もしくは合成を行いその結果を出力とするダイバーシティ受信回路と、
を有することを特徴とする通信システムの受信局。
【請求項３】
送信局と受信局間で光空間伝送による通信を行う通信システムにおいて、
送信局と受信局間に光空間伝播信号が届きにくい条件が発生する場合において、送信局と受信局間で通信を確保する通信システムであって、
送信信号により変調された光信号を生成する光伝送用光信号生成手段と、
導かれた前記光信号をコリメートして空間伝播光とする光空間伝送送信用光学系と、
前記光伝送用光信号生成手段と前記光空間伝送送信用光学系の間に配置され、前記光信号を分岐し、一方を、前記光空間伝送送信用光学系への光信号として出力する光分岐器と、
前記光分岐器の他方の出力端に接続され、該分岐器から導かれた光信号を光学的に変調し、変調光を出力するミリ波生成用光信号生成手段と、
ミリ波生成用光信号生成手段からの出射光を受光しミリ波帯の電波信号として出射する光・ミリ波変換回路と、
からなる送信局と、
送信局の光空間伝送送信用光学系から出射され伝播してきた光信号を受信回路への入力光とするためにコリメートする光空間伝送受信用光学系と、
前記光空間伝送送信用光学系によりコリメートされ導かれた光信号を受信し、受光もしくは受光と信号処理を行い光空間伝送による受信信号として出力する光伝送信号受信回路と、
送信局の光・ミリ波変換回路から出射され伝播してきた電波を受信するミリ波受信回路と、
ミリ波受信回路の出力に接続され、ミリ波受信回路の出力から、送信局で行ったミリ波生成用光信号生成手段における信号生成動作前の信号に対応する信号を電気的に生成し出力するミリ波信号復調手段と、
二つの入力部を有し、一方には前記光伝送信号受信回路からの出力信号を入力し、もう一方は前記ミリ彼信号復調手段からの出力信号を入力し、両人力信号に対して選択もしくは合成を行いその結果を出力とするダイバーシティ受信回路と、
からなる受信局と、
を有することを特徴とする通信システム。
【請求項４】
送信局と受信局間で光空間伝送による通信を行う通信方法において、
送信局において、
送信信号を用いて光伝送用の光信号を生成し、該光信号を、分岐し、分岐された一方の光信号を、空間伝播させ、これと同時に、
分岐された他方の光信号を、光電変換するとミリ波帯になるように光学的に再度変調し、該変調された光からミリ波の電波信号を生成し、該電波信号を空間伝播させ、
受信局において、
空間伝播してきた光信号を受光して得た受信信号と、空間伝播してきた電波信号を受信し復調して得た信号とを使用して、両信号に対し選択または合成を行うダイバーシティ受信を行い、その出力を受信信号とすることで通信を行うことを特徴とする通信方法。
【発明の詳細な説明】
【技術分野】
【０００１】
本発明は、送信装置及び受信装置を配置して伝送を行う光空間伝送技術およびミリ波伝送技術に係り、特に、送信局と受信局間で光空間伝送による通信を行う通信システム、その送信局、受信局及び通信方法に関する。
本発明に関連する光空間伝送を使用した伝送技術は、空間伝播光が霧などの気象条件で信号減衰が大きくなるとの理由で、従来では極端に距離を短くするか、低い信頼性を許容するか、による解決策が検討されている分野である。
【背景技術】
【０００２】
携帯電話機の普及などで、光の空間伝播を使用した広帯域伝送リンクの実現が期待されている。しかし、光空間伝播による通信は見通し通信であるので、途中の伝播路である空間の条件、つまり気象条件の影響を受ける。図９に光の空間伝播を使用した従来の通信システムの概略構成を示す。同図において、送信局３０側では、光伝送用光信号生成手段３０００により、送信信号から光伝送用の光信号を生成し、光空間伝送送信用光学系３００１を通して空間伝播させる。
【０００３】
受信局４００側では、空間伝播してきた光信号を光空間伝送受信用光学系４００１で受光のためにコリメート(集光)し、光伝送信号受信回路４００２に導く。この光伝送信号受信回路４００２は、光電気変換を行い、必要に応じて識別再生などを行って、受信信号として出力する（非特許文献１参照）。
【非特許文献１】NTTDoCoMoテクニカルジャーナルVol.10No.1,2002年４月
【発明の開示】
【発明が解決しようとする課題】
【０００４】
しかし、光の空間伝播を使用した従来の通信システムでは、光の伝播経路の気象条件により伝送品質が大きく変化する。
この様子を図１０に示した。光を使用した見通し通信では、気象条件の影響を受ける。図に示した霧の影響が一番大きい。上記非特許文献１には、光空間伝播を使用した検討例が示されている。非特許文献１に記載されているように、霧の発生を想定すると、同じく見通し通信のFWA(固定無線アクセス)相当の品質を要求すると、極端に伝送距離が短くなる。
【０００５】
本発明は、このような事情に鑑みてなされたものであり、既に光空間伝播の構築がされている、もしくは構築を想定している場合に、大きな伝送装置を別に設けることなく、光が霧などの気象条件により大きく減衰することが想定される場合であっても信頼性を確保することができる、通信システム、その送信局、受信局及び通信方法を提供することを目的としている。
【課題を解決するための手段】
【０００６】
上記目的を達成するために請求項１に記載の発明は、送信局と受信局間で光空間伝送による通信を行う通信システムにおいて、送信局と受信局間に光空間伝播信号が届きにくい条件が発生する場合において、送信局と受信局間で通信を確保する通信システムの送信局であって、送信信号により変調された光信号を生成する光伝送用光信号生成手段と、導かれた前記光信号をコリメートして空間伝播光とする光空間伝送送信用光学系と、前記光伝送用光信号生成手段と前記光空間伝送送信用光学系の間に配置され、前記光信号を分岐し、一方を、前記光空間伝送送信用光学系への光信号として出力する光分岐器と、前記光分岐器の他方の出力端に接続され、該分岐器から導かれた光信号を光学的に変調し、変調光を出力するミリ波生成用光信号生成手段と、ミリ波生成用光信号生成手段からの出射光を受光しミリ波帯の電波信号として出射する光・ミリ波変換回路とを有することを特徴とする。
【０００７】
また、請求項２に記載の発明は、送信局と受信局間で光空間伝送による通信を行う通信システムにおいて、送信局と受信局間に光空間伝播信号が届きにくい条件が発生する場合において、送信局と受信局間で通信を確保する通信システムの受信局であって、送信局の光空間伝送送信用光学系から出射され伝播してきた光信号を受信回路への入力光とするためにコリメートする光空間伝送受信用光学系と、前記光空間伝送送信用光学系によりコリメートされ導かれた光信号を受信し、受光もしくは受光と信号処理を行い光空間伝送による受信信号として出力する光伝送信号受信回路と、送信局の光・ミリ波変換回路から出射され伝播してきた電波を受信するミリ波受信回路と、ミリ波受信回路の出力に接続され、ミリ波受信回路の出力から、送信局で行ったミリ波生成用光信号生成手段における信号生成動作前の信号に対応する信号を電気的に生成し出力するミリ波信号復調手段と、二つの入力部を有し、一方には前記光伝送信号受信回路からの出力信号を入力し、もう一方は前記ミリ彼信号復調手段からの出力信号を入力し、両人力信号に対して選択もしくは合成を行いその結果を出力とするダイバーシティ受信回路とを有することを特徴とする。
【０００８】
また、請求項３に記載の発明は、送信局と受信局間で光空間伝送による通信を行う通信システムにおいて、送信局と受信局間に光空間伝播信号が届きにくい条件が発生する場合において、送信局と受信局間で通信を確保する通信システムであって、送信信号により変調された光信号を生成する光伝送用光信号生成手段と、導かれた前記光信号をコリメートして空間伝播光とする光空間伝送送信用光学系と、前記光伝送用光信号生成手段と前記光空間伝送送信用光学系の間に配置され、前記光信号を分岐し、一方を、前記光空間伝送送信用光学系への光信号として出力する光分岐器と、前記光分岐器の他方の出力端に接続され、該分岐器から導かれた光信号を光学的に変調し、変調光を出力するミリ波生成用光信号生成手段と、ミリ波生成用光信号生成手段からの出射光を受光しミリ波帯の電波信号として出射する光・ミリ波変換回路とからなる送信局と、
送信局の光空間伝送送信用光学系から出射され伝播してきた光信号を受信回路への入力光とするためにコリメートする光空間伝送受信用光学系と、前記光空間伝送送信用光学系によりコリメートされ導かれた光信号を受信し、受光もしくは受光と信号処理を行い光空間伝送による受信信号として出力する光伝送信号受信回路と、送信局の光・ミリ波変換回路から出射され伝播してきた電波を受信するミリ波受信回路と、ミリ波受信回路の出力に接続され、ミリ波受信回路の出力から、送信局で行ったミリ波生成用光信号生成手段における信号生成動作前の信号に対応する信号を電気的に生成し出力するミリ波信号復調手段と、二つの入力部を有し、一方には前記光伝送信号受信回路からの出力信号を入力し、もう一方は前記ミリ彼信号復調手段からの出力信号を入力し、両人力信号に対して選択もしくは合成を行いその結果を出力とするダイバーシティ受信回路とからなる受信局と、
を有することを特徴とする。
【０００９】
また、請求項４に記載の発明は、送信局と受信局間で光空間伝送による通信を行う通信方法において、
送信局において、
送信信号を用いて光伝送用の光信号を生成し、該光信号を、分岐し、分岐された一方の光信号を、空間伝播させ、これと同時に、
分岐された他方の光信号を、光電変換するとミリ波帯になるように光学的に再度変調し、該変調された光からミリ波の電波信号を生成し、該電波信号を空間伝播させ、
受信局において、
空間伝播してきた光信号を受光して得た受信信号と、空間伝播してきた電波信号を受信し復調して得た信号とを使用して、両信号に対し選択または合成を行うダイバーシティ受信を行い、その出力を受信信号とすることで通信を行うことを特徴とする。
【発明の効果】
【００１０】
以上説明したように、本発明によれば、光空間伝送システムを既に導入あるいは検討中の領域で、霧などによる伝送品質の劣化を低減でき、光空間伝送システムの導入が容易となる。また既存光空間伝送との整合性もよい。
このことにより、機動性、運用性、導入容易性、経済性、信頼性に優れた光空間伝送による通信システムを実現できる。
【発明を実施するための最良の形態】
【００１１】
以下、本発明の実施形態を、図面を参照して詳細に説明する。本発明の第１実施形態に係る通信システムの構成を図１に示す。この通信システムは、送信局と受信局間で光空間伝送による通信を行う通信システムにおいて、送信局と受信局間に光空間伝播信号が届きにくい条件が発生する場合において、送信局と受信局間で通信を確保する通信システムである。
【００１２】
図１において、本発明の第１実施形態に係る通信システムは、光空間伝送による伝送と、ミリ波による電波伝送を行う送信局１と、受信局２とを有している。
送信局１は、光伝送用光信号生成手段１０と、光分岐器１１と、ミリ波生成用光信号生成手段１２と、光・ミリ波変換回路１３と、光空間伝送送信用光学系１４とを有している。
【００１３】
光伝送用光信号生成手段１０は、送信信号により変調された光信号を生成する。
また、光空間伝送送信用光学系１４は、導かれた光信号をコリメートして空間伝播光とする。
光分岐器１１は、光伝送用光信号生成手段１０と光空間伝送送信用光学系１４の間に配置され、光伝送用光信号生成手段１０により生成された光信号を分岐し、分岐された一方の光信号を光空間伝送送信用光学系１４への光信号として出力する。
【００１４】
ミリ波生成用光信号生成手段１２は、光分岐器１１の他方の出力端に接続され、該分岐器１１から導かれた光信号を光学的に変調し、変調光を出力する。
光・ミリ波変換回路１３は、ミリ波生成用光信号生成手段１２からの出射光を受光しミリ波帯の電波信号として出射する。
【００１５】
また、受信局２は、光空間伝送受信用光学系２０と、光伝送信号受信回路２１と、ミリ波受信回路２２と、ミリ波信号復調手段２３と、ダイバーシティ受信回路２４とを有している。
光空間伝送受信用光学系２０は、送信局の光空間伝送送信用光学系１４から出射され伝播してきた光信号を光伝送信号受信回路２１への入力光とするためにコリメートする機能を有している。
【００１６】
光伝送信号受信回路２１は、前記光空間伝送送信用光学系によりコリメートされ導かれた光信号を受信し、受光もしくは受光と信号処理を行い光空間伝送による受信信号として出力する。
ミリ波受信回路２２は、送信局１の光・ミリ波変換回路１３から出射され伝播してきた電波を受信する。
【００１７】
ミリ波信号復調手段２３は、ミリ波受信回路２２の出力に接続され、ミリ波受信回路２２の出力から、送信局１で行ったミリ波生成用光信号生成手段１２における信号生成動作前の信号に対応する信号を電気的に生成し出力する機能を有している。
ダイバーシティ受信回路２４は、二つの入力部を有し、一方の入力部には光伝送信号受信回路２１からの出力信号を入力し、もう一方の入力部にはミリ彼信号復調手段２３からの出力信号を入力し、両人力信号に対して選択もしくは合成を行い、その結果を出力とする機能を有している。
【００１８】
光伝送用光信号生成手段１０と光空間伝送送信用光学系１４とが、光空間伝送送信系を構成し、光空間伝送受信用光学系２０と光伝送信号受信回路２１とが、光空間伝送受信系を構成し、光空間伝送送信系と光空間伝送受信系とで、空間伝播を利用した伝送系を構成する。この構成により空間光伝送により、主に霧による障害以外は、通信可能となる。
【００１９】
なお、光伝送受信回路２１と後段に接続されているダイバーシティ受信回路２４の、受信に関わる機能としては、役割の分担は適宜設定する。ダイバーシティ受信回路２４の一部と光伝送信号受信回路２１とにより、光空間伝送信号の受信手段が構成される。ベースバンド伝送しているとき、例えば、識別・再生機能までが光伝送信号受信回路２１の機能というようにする。
【００２０】
上記構成において、光伝送用光信号生成手段１０から生成された光信号は、光分岐器１１によりその一部を分岐し、その一方を前記光空間伝送に使用する。光分岐器１１により分岐されたもう一方の光信号は、ミリ波生成用光信号生成手段１２により、光学的に変調を施す。
この変調により、当該変調光を光・ミリ波変換回路１３において、ＰＤ（フォトダイオード）で受光して、（必要に応じて周波数領域でのフィルタ、電力増幅器で電力増幅し、）アンテナによりミリ波の生成が可能となる。これにより生成したミリ波の電波を空間伝播させる。
【００２１】
空間伝播したミリ波は、受信局２のアンテナを含むミリ波受信回路２２により受信し、ミリ波信号復調手段２３により、送信局１でミリ波帯の信号を生成するため行った操作前の信号に対応する信号を生成する。例えば光空間伝送が、ベースバンドの信号であれば、ミリ波受信回路２２により受信したミリ波信号から、ミリ波信号復調手段２３によりベースバンド信号を生成する。
【００２２】
光伝送信号受信回路２１からの出力と、ミリ波信号復調手段２３からの出力を、ダイバーシティ受信回路２４に入力する。ダイバーシティ受信回路で２４は、前記２つの入力から一方の入力を選択もしくは２つの入力から１つの出力を合成して、出力する。この際、受信信号として出力するために、受信系としての一般的な処理、例えばタイミング抽出と同期など、が必要な場合は、このダイバーシティ受信回路２４の中で行う構成とするか、その前後で専用回路を配置し行う構成とする。
【００２３】
これにより送信局１と受信局２との間で、通信が行われる。
このことにより、標準で光空間伝送系が構成されている、あるいは構成しようとしている系において、同一情報をミリ波で伝送でき、両者でダイバーシティ伝送できるため、光空間伝送系による弱点である霧の場合も含めて、良好な空間伝播による広帯域リンクが構成できる。もちろん霧による劣化が無い場合においては、光空間伝送系をそのまま使用することも可能である。
【００２４】
図２は、図１に示した通信システムにおける光伝送用光信号生成手段１０の構成例である。光空間伝送は、光ファイバを利用した伝送におけるのと同様の手法が用いられる。図２において、構成例１は、半導体レーザ１００と光変調器１０１から構成する例である。
【００２５】
半導体レーザ１００を適切なバイアスでＤＣ（直流）光で発光させておき、光変調器１０１により送信データの情報を乗せる。光変調器１０１は、強度変調、位相変調、などの方法でデータに応じて光を変調する。
なお、半導体レーザ１００の駆動回路や光変調器１０１の駆動回路も必要であるが、必要に応じて接続されているものとする。（こうした一般的な付加部分は、他の構成でも省いている）
【００２６】
構成例２は、半導体レーザ１００を直接データに応じて変調するものである。半導体レーザ１００は、流れる電流により光強度が変わるため、例えばこれを利用する。
【００２７】
図３は、図１に示した通信システムにおけるミリ波生成用光信号生成手段１２の構成例である。同図において、構成例１では、ミリ波生成用光信号生成手段１２は、光変調器１２０と局部発振器１２１により構成される。構成例１において、光伝送用光信号が入射されると、光伝送用光信号は、光変調器１２０により局部発振器１２１の出力信号に基づいて光学的に変調され、ミリ波生成用光信号として出力される。
【００２８】
これは、光伝送用光信号が、例えば、１Gbpsのベースバンド信号であった場合に、ミリ波帯３０GHz〜３００GHzの電気スペクトルを発生させるために使用する。局所発振器１２１の周波数もミリ波周波数帯もしくはミリ波周波数帯に近いものを使用する。
【００２９】
構成例２では、ミリ波生成用光信号生成手段１２は、ビート用発光素子１２２と光合流素子１２３とから構成される。光合流素子１２３により合流した光伝送用光信号とビート用発光素子からの光信号が、後段でＰＤ（フォトダイオード）による受光素子により検波されると、ビートが発生し、光伝送用光信号の光周波数とビート用発光素子１２２の光周波数の差周波数に対応した周波数領域の電気信号が得られる。ビート用発光素子１２２の光周波数を光伝送用光信号の光周波数との差をミリ波領域（高調波を使用する場合は、ミリ波帯以下でも可。いずれにしても、差周波数に対応して、発生する電気信号の周波数が決まる。）周辺にすることで、ミリ波生成用光信号が得られる。
【００３０】
図４は、図１に示した通信システムにおける光・ミリ波変換回路１３の構成例である。この構成例では、光・ミリ波変換回路１３は、受光素子であるフォトダイオード（ＰＤ）１３０とアンテナ１３１から構成される。
上記構成において、ミリ波生成用光信号生成手段１２からの光信号が入射されると、フォトダイオード１３０で光電気変換され、高周波の電気信号がアンテナ１３１から空中に放射される。図中に記していないが、必要に応じて、対象となる周波数帯の信号を選択するフィルタや十分なアンテナ出力とするための電力アンプを付加する。この構成によりミリ波が得られる。
【００３１】
図５は、図１に示した通信システムにおける光伝送信号受信回路２１の構成例である。構成例１では、光伝送信号受信回路２１は、ＰＤ（フォトダイオード）２１０と抵抗２１１から構成され、ＰＤ２１０により入力光信号を電気信号に変換して出力する。
【００３２】
構成例２では、光伝送信号受信回路２１は、構成例１の構成に対して再生回路２１２を追加した構成であり、ＰＤ２１０からの信号を適切なレベルの電気信号にする。ダイバーシティ回路との機能分担によるが、この例で、識別・再生処理までする構成も含む。
構成例３では、伝送信号受信回路２１は、構成例１の構成に対し、検波・復調回路２１３を加えた構成となっている。光伝送信号は位相変調などを含んでいる場合、検波・復調に関わる処理を行ってからダイバーシティ受信回路２４に入力する構成である。
【００３３】
図６は図１に示した通信システムにおけるミリ波受信回路２２の構成例である。図６（Ａ），（Ｂ）は同期検波によるミリ波受信回路２２の構成例である。これらのミリ波受信回路２２では、アンテナ２２０で受信した高周波の電気信号と、受信局２に備えた局部発振器２２１とミキサ２２２で合流する（記していないが、適宜フィルタする）ことで、出力を得る。
【００３４】
図６（Ａ）の構成では、ミキサ２２２で一度のみのミキシングを行い、図６（Ｂ）の構成では、ミキサ２２２Ａで一度中間周波数（ＩＦ）に変換し、中間周波数信号をミリ波信号に変換するステップをたどっている。
図６（Ｃ）は非同期検波によるミリ波受信回路２２の構成例である。アンテナ２２０で受信した高周波の電気信号をダイオード(Schottky diode)２２３により整流し、フィルタ２２４により包絡線検波され、アンプ２２５により増幅されて出力を得る。
【００３５】
図７に図１に示した通信システムにおけるダイバーシティ受信回路２４の構成例を示す。このダイバーシティ受信回路２４は選択型のものである。図７において、ダイバーシティ受信回路２４は、アンテナ２４０Ａ，２４０Ｂ及び受信回路２４１Ａ，２４１Ｂと、アンテナ及び受信回路が各々２個あり、ロジックによる切り替わる選択回路２４２により、入力のうちどちらかを選択し、ダイバーシティ受信回路の出力とする。
【００３６】
図中にも記したように、ここでアンテナ２４０Ａはミリ波を受けるアンテナであり、アンテナ２４０Ｂは、光伝送信号受信回路（フォトダイオードＰＤ）出力である。それぞれの受信回路２４１Ａ，２４１Ｂの出力を、選択回路２４２の入力とし、別途定めた（例えば信号レベルなどの）条件による論理（LOGIC）により、どちらかの入力を選択し、出力する。
【００３７】
図８に図１に示した通信システムにおけるダイバーシティ受信回路２４の他の構成例を示す。このダイバーシティ受信回路２４は合成型のものである。図７に示したダイバーシティ受信回路２４との構成上、異なる点は、入力を選択でなく合成することである。光受信信号およびミリ波受信信号のレベルが大きく異なる場合などそのままでは合成が不適なので、利得調整回路２４３Ａ，２４３Ｂを設けている。
【００３８】
この利得調整機能は、位相調整及び合成回路２４４の一部として持たせてもよい。また、光受信信号およびミリ波受信信号のレベルが近い場合などもあるため、必ずしも必要ではない。これらの出力信号は位相調整及び合成回路２４４に入力される。光受信信号およびミリ波受信信号のレベル合成をするには、両信号の位相があっていなければならない。
【００３９】
上記両信号の位相を合せた後、信号の合成・重ね合わせができる。位相調整及び合成回路２４４は、この２つの動作を行う。
光伝送信号受信回路２１およびミリ波受信回路２２との機能分担に依存するが、必要に応じて、入力波形の整形や、同期を取り直して信号再生後に合成などの構成が可能である。
【図面の簡単な説明】
【００４０】
【図１】本発明の実施形態に係る通信システムの構成を示すブロック図。
【図２】図１に示した本発明の実施形態に係る通信システムにおける光伝送用光信号生成手段の構成例を示す図。
【図３】図１に示した本発明の実施形態に係る通信システムにおけるミリ波生成用光信号生成手段の構成例を示す図。
【図４】図１に示した本発明の実施形態に係る通信システムにおける光・ミリ波変換回路の構成例を示す図。
【図５】図１に示した本発明の実施形態に係る通信システムにおける光伝送信号受信回路の構成例を示す図
【図６】図１に示した本発明の実施形態に係る通信システムにおけるミリ波受信回路の構成例を示す図。
【図７】図１に示した本発明の実施形態に係る通信システムにおけるダイバーシティ受信回路の構成例を示すブロック図。
【図８】図１に示した本発明の実施形態に係る通信システムにおけるダイバーシティ受信回路の他の構成例を示すブロック図。
【図９】従来の通信システムの構成を示すブロック図。
【図１０】空間伝播の利用した見通し通信の状態を示す説明図。
【符号の説明】
【００４１】
１…送信局
２…受信局
１０…光伝送用光信号生成手段
１１…光分岐器
１２…ミリ波生成用光信号生成手段
１３…光・ミリ波変換回路
１４…光空間伝送送信用光学系
２０…光空間伝送受信用光学系
２１…光伝送信号受信回路
２２…ミリ波受信回路
２３…ミリ波信号復調手段
２４…ダイバーシティ受信回路
【図１】
2005323145.tif 000003
【図２】
2005323145.tif 000004
【図３】
2005323145.tif 000005
【図４】
2005323145.tif 000006
【図５】
2005323145.tif 000007
【図６】
2005323145.tif 000008
【図７】
2005323145.tif 000009
【図８】
2005323145.tif 000010
【図９】
2005323145.tif 000011
【図１０】
2005323145.tif 000012